(57)【特許請求の範囲】
【請求項１】
キャビネット（１）内に、記録媒体であるディスク（６０）を収容するメカニズムデッキ（８）と被写体を向く鏡筒（５）を具え、鏡筒（５）からの撮像信号をディスク（６０）に格納し、又はディスク（６０）から再生可能なカメラ機器であって、
メカニズムデッキ（８）は鏡筒（５）の側方に設けられ、キャビネット（１）内にて、鏡筒（５）とメカニズムデッキ（８）の間には、回路基板（４）が設けられ、該回路基板（４）上には、鏡筒（５）又はメカニズムデッキ（８）の少なくとも一方からの信号を処理し、該処理時に発熱を伴う集積回路（４１）が配備されたことを特徴とするカメラ機器。
【請求項２】
キャビネット（１）上にて鏡筒（５）よりもメカニズムデッキ（８）側には把持部が設けられ、鏡筒（５）又はメカニズムデッキ（８）を操作するスイッチ（ＳＷ）の大半は、キャビネット（１）上にて鏡筒（５）を挟んで把持部の反対側に設けられた請求項１に記載のカメラ機器。
【請求項３】
キャビネット（１）上にて鏡筒（５）を挟んで把持部の反対側には、前記スイッチ（ＳＷ）が配備された第１取付け面（２１）と該第１取付け面（２１）に連続し、第１取付け面（２１）に対し傾き又は略直交した第２取付け面（２２）が形成され、該第２取付け面（２２）上に音声収録マイク（１３）が取り付けられた請求項２に記載のカメラ機器。
【請求項４】
キャビネット（１）内に、記録媒体であるディスク（６０）を収容するメカニズムデッキ（８）と被写体を向く鏡筒（５）を具え、鏡筒（５）からの撮像信号をディスク（６０）に格納し、又はディスク（６０）から再生可能なカメラ機器であって、
メカニズムデッキ（８）は鏡筒（５）の側方に設けられ、
キャビネット（１）内にて、鏡筒（５）とメカニズムデッキ（８）の間には、２枚の回路基板（４）（４０）が設けられ、一方の回路基板（４０）は鏡筒（５）に、他方の回路基板（４）はメカニズムデッキ（８）に取り付けられ、
両回路基板（４）（４０）は着脱自在に接合されていることを特徴とするカメラ機器。
【請求項５】
回路基板（４）には、デジタル信号が入力及び／又は出力される第１端子（４４）が設けられると共に、キャビネット（１）上では該第１端子（４４）と、アナログ信号が入力及び／又は出力される第２端子（４３）とが離れた箇所に設けられている請求項１乃至４に記載のカメラ機器。
【発明の詳細な説明】
【０００１】
【発明の属する技術分野】
本発明は、記録媒体であるディスクを収容可能なカメラ機器に関する。
【０００２】
【従来の技術】
従来から、図５に示すように、カートリッジ（６）に収納されたディスク（６０）に信号を記録、又はディスク（６０）から信号を再生するメカニズムデッキ（８）が知られている。メカニズムデッキ（８）は、シャーシ（８０）上にホルダ（８１）の基端部を枢支し、該ホルダ（８１）にカートリッジ（６）が収納される。カートリッジ（６）上にはシャッタ（６１）が開閉自在に設けられ、ホルダ（８１）内に配備された開閉機構（図示せず）により、カートリッジ（６）のホルダ（８１）への挿入時にシャッタ（６１）は開かれる。
図６は、シャーシ（８０）の正面図である。シャーシ（８０）上にはディスク（６０）を回転させるターンテーブル（７）が配備され、該ターンテーブル（７）に対し、ピックアップ（７０）がガイド軸（７１）（７１）に沿って接近離間可能に設けられている。シャーシ（８０）上には、カートリッジ（６）の底面を支持する受け軸（８２）（８２）（８２）が設けられて、受け軸（８２）（８２）（８２）がカートリッジ（６）を支持した状態にて、ディスク（６０）がターンテーブル（７）に載置される。
近年、デジタルスチルカメラに上記のメカニズムデッキ（８）を取り付けて、カメラの撮像信号をディスク（６０）に記録し、又はディスク（６０）から再生する機器が提案されている。
【０００３】
【発明が解決しようとする課題】
ディスク（６０）には高密度記録が求められており、信号を記録又は再生する際に高速で信号を処理する必要がある。従って、信号を処理する回路は、処理スピードが速い故に、発熱しやすくなる。この回路がカメラ機器を使用する者の手に触れる箇所、又は該箇所の近傍に設けられていれば、使用者に熱さを感じさせて不快感を与えるだけでなく、使用者がカメラ機器を把持し続けることができない虞れがある。
本発明は、信号の記録又は再生時に信号を処理する回路の熱が使用者に伝わりにいカメラ機器の提供を目的とする。
【０００４】
【課題を解決する為の手段】
メカニズムデッキ（８）は鏡筒（５）の側方に設けられ、キャビネット（１）内にて、鏡筒（５）とメカニズムデッキ（８）の間には、回路基板（４）が設けられている。該回路基板（４）上には、鏡筒（５）又はメカニズムデッキ（８）の少なくとも一方からの信号を処理し、該処理時に発熱を伴う集積回路（４１）が配備されている。
また、キャビネット（１）上にて鏡筒（５）よりもメカニズムデッキ（８）側には把持部が設けられ、撮影中に鏡筒（５）又はメカニズムデッキ（８）を操作するスイッチ（ＳＷ）の大半は、キャビネット（１）上にて鏡筒（５）を挟んで把持部の反対側に設けられている。
【０００５】
【作用及び効果】
集積回路（４１）はメカニズムデッキ（８）と鏡筒（５）の間に配備されており、集積回路（４１）の熱がキャビネット（１）に触れる使用者の手に直接伝わらない。従って、使用者に不快感を与えず、使用者がカメラ機器を把持し続けることができる。また、使用者がカメラ機器を使用する際には、一方の手で把持部を握り、他方の手の指にてスイッチ（ＳＷ）を操作する。従って、キャビネット（１）を把持したまま、スイッチ（ＳＷ）を操作できる。
【０００６】
【発明の実施の形態】
以下、本発明の一例を図を用いて詳述する。本例にあっては、ディスクに撮像信号を記録するデジタルカメラを例示する。また、ディスクは高密度で信号が記録された所謂超解像用のディスクである。
図１は、キャビネット（１）を前方から見た斜視図、図２は同上の後方から見た視図、図３はキャビネット（１）の正面図である。図４は、キャビネット（１）の内部構成を示す平面図である。
図１、図２及び図４に示すように、キャビネット（１）は、被写体を向く鏡筒（５）を収納する第１キャビネット半体（２）と、メカニズムデッキ（８）を収納する第２キャビネット半体（３）とから構成される。メカニズムデッキ（８）の構成は従来と同様である。第２キャビネット半体（３）は第１キャビネット半体（２）の側方に位置し、第１キャビネット半体（２）は鏡筒（５）の光軸Ｌに沿って延びている。図１に示す第１キャビネット半体（２）は、一端部にマニュアルフォーカス用の手回しダイアル（１１）を、他端部にビューファインダ（１０）を具え、側面にズーム釦（１６）、押込みスイッチ（ＳＷ）（ＳＷ）（ＳＷ）、ジョグダイアル（１２）を具える。以下の記載では、被写体の方を前方、ビューファインダ（１０）が設けられている方を後方とする。
【０００７】
第１キャビネット半体（２）上にて、第２キャビネット半体（３）と反対側の側面は、前側から後側に向かって、膨らみを外側に向けた円弧面（２０）と、該円弧面（２０）から一段内側に位置する第１取付け面（２１）と、該第１取付け面（２１）から後方に向かって外向きに傾斜した第２取付け面（２２）と、該第２取付け面（２２）から後方に延びたダイアル支持面（２３）を連続して形成している。円弧面（２０）にズーム釦（１６）が、第１取付け面（２１）に押込みスイッチ（ＳＷ）（ＳＷ）（ＳＷ）が、ダイアル支持面（２３）にジョグダイアル（１２）が設けられている。また、第２取付け面（２２）には、音声収録マイク（１３）が設けられている。鏡筒（５）は後端部に撮像素子を設けて、ズームレンズを具備し、ズーム釦（１６）により倍率を連続的に変更可能である。
押込みスイッチ（ＳＷ）（ＳＷ）（ＳＷ）は露出やホワイトバランスを切り換える際に操作され、ジョグダイアル（１２）は後記するように画像を高速サーチする際に操作される。
【０００８】
使用者がキャビネット（１）を使用する際には、右手で第２キャビネット半体（３）を把持し、左手の指にて押込みスイッチ（ＳＷ）（ＳＷ）（ＳＷ）及びジョグダイアル（１２）を操作する。従って、キャビネット（１）を把持したまま、押込みスイッチ（ＳＷ）（ＳＷ）（ＳＷ）及びジョグダイアル（１２）を操作できる。また、音声収録マイク（１３）は第１取付け面（２１）に対して傾いた第２取付け面（２２）に設けられているから、押込みスイッチ（ＳＷ）（ＳＷ）（ＳＷ）やズーム釦（１６）の操作時に、指が音声収録マイク（１３）に当たることはない。
従って、指が誤って音声収録マイク（１３）に当たり、音声収録マイク（１３）がこの衝突音を捉えることはない。また、音声収録マイク（１３）は鏡筒（５）を挟んでメカニズムデッキ（８）の反対側に設けられ、メカニズムデッキ（８）から離れているから、音声収録マイク（１３）がメカニズムデッキ（８）のターンテーブル（７）の回転音等を捉えることもない。尚、第２取付け面（２２）は第１取付け面（２１）に直交してもよい。
【０００９】
図２に示すように、第２キャビネット半体（３）の上面には、モード切換釦（１４）が回動自在に設けられ、該モード切換釦（１４）の近傍にはスライド釦（１５）が前後移動可能に設けられている。スライド釦（１５）を手で移動させると、メカニズムデッキ（８）のホルダ（８１）が開き、カートリッジ（６）を挿入できる。
キャビネット（１）の後端面にて、ビューファインダ（１０）の下方には液晶パネル（９）が設けられ、該液晶パネル（９）には撮像した画像の他に、ディスク（６０）に格納された画像が写し出される。キャビネット（１）の後端面にて、液晶パネル（９）の斜め上側には画像送り釦（９０）が、右方にはメニュー選択釦（９１）とメニュー設定釦（９２）が設けられる。
ディスク再生時には、ディスク内の１枚の画像が液晶パネル（９）に表示される。画像送り釦（９０）を押すと、次又は前の１枚の画像が表示される。前記ジョグダイアル（１２）を回すと、画像を早送り又は早戻しできる。
メニュー選択釦（９１）を押すと、液晶パネル（９）に設定すべきモードのメニューが表示される。画像送り釦（９０）はメニュー選択機能も有し、画像送り釦（９０）を押してモードを選択した後に、メニュー設定釦（９２）を押すと、カメラ機器は選択したモードに設定される。
【００１０】
図１に示すように、第２キャビネット半体（３）の側面にてダイアル支持面（２３）の下方には、小蓋体（２４）が設けられ、該小蓋体（２４）の内側にはアナログ信号が入出力される第２端子（４３）（４３）が設けられている。第２端子（４３）（４３）は具体的には、ＡＶ出力端子、電源入力端子、外部マイク入力端子である。
また、図３に示すように、第２キャビネット半体（３）の下端部には、別の小蓋体（３０）が設けられ、該小蓋体（３０）の内側にはデジタル信号が入出力される第１端子（４４）（４４）が設けられている。第１端子（４４）（４４）は具体的には、ＵＳＢ端子、ＩＥＥＥ端子である。ＵＳＢ端子とはＵＳＢ（Ｕｎｉｖｅｒｓａｌ  Ｓｅｒｉａｌ  Ｂｕｓ）規格に対応した端子の通称名であり、ＩＥＥＥ端子とはＩＥＥＥ１３９４−１９９５仕様に準拠した端子の通称名である。
キャビネット（１）上には、デジタル信号用の第１端子（４４）（４４）と、アナログ信号用の第２端子（４３）（４３）が鏡筒（５）を挟んで離れて設けられているから、使用者が間違ってデジタル信号用コードをアナログ信号用端子に繋いだり、アナログ信号用コードをデジタル信号用端子に繋ぐ虞れはない。従って、使用者の使い勝手が良くなる。
【００１１】
図４に示すように、メカニズムデッキ（８）と鏡筒（５）の間には、２枚の第１、第２回路基板（４）（４０）が設けられ、メカニズムデッキ（８）には第１回路基板（４）が、鏡筒（５）には第２回路基板（４０）が取り付けられる。第１回路基板（４）にはメカニズムデッキ（８）を制御するドライブ回路が搭載され、第２回路基板（４０）には鏡筒（５）の撮像素子からの撮影信号やディスクからの再生信号を処理するデジタル信号処理回路が搭載されている。前記第１端子（４４）（４４）のうち、ＵＳＢ端子は第２回路基板（４０）に、ＩＥＥＥ端子は第１回路基板（４）の前端部に取り付けられる。尚、ＵＳＢ端子とＩＥＥＥ端子の配置は逆でもよい。
鏡筒（５）の背後には、複数枚の中間基板（４５）（４５）が略等間隔に設けられ、最後端の中間基板（４５）に第２端子（４３）が取り付けられている。中間基板（４５）（４５）は第２回路基板（４０）に繋がっている。
各回路基板（４）（４０）には、夫々コネクタ（４６）（４６）が設けられ、コネクタ（４６）（４６）が着脱自在に嵌まり合って、両回路基板（４）（４０）は電気的に接続される。これにより、メカニズムデッキ（８）と鏡筒（５）は着脱自在に取り付けられている。
メカニズムデッキ（８）と鏡筒（５）が分離可能であるから、例えばメカニズムデッキ（８）が故障した際には、メカニズムデッキ（８）のみを外して修理でき、便利である。
【００１２】
第１回路基板（４）には、メカニズムデッキ（８）の記録又は再生信号を処理する第１集積回路（４１）が、第２回路基板（４０）には、鏡筒（５）の記録又は再生信号を処理する第２集積回路（４２）が夫々設けられている。
ディスク（６０）には高密度記録が求められており、両集積回路（４１）（４２）は信号を記録又は再生する際に高速で信号を処理する必要がある。従って、両集積回路（４１）（４２）は処理スピードが速い故に、発熱しやすくなる。
本例にあっては、両集積回路（４１）（４２）はメカニズムデッキ（８）と鏡筒（５）の間に配備されており、両集積回路（４１）（４２）の熱がキャビネット（１）に触れる使用者の手に直接伝わらない。また、使用者が把持する第２キャビネット半体（３）は樹脂製であり、熱を伝えにくい。従って、使用者に不快感を与えず、使用者がカメラ機器を把持し続けることができる。
尚、第１キャビネット半体（２）、第２キャビネット半体（３）の底面には、金属板が設けられており、該金属板にて熱を逃がす。該金属板にも放熱用の穴を設けている。更に、第２キャビネット半体（３）の第１キャビネット半体（２）側に、放熱用のスリット（３２）を設けている。
【００１３】
尚、図１にあっては、円弧面（２０）の上に押込み突片（２５）が設けられており、該押込み突片（２５）を押さえると、ストロボ用ライト（図示せず）が突出する。また、第１、第２キャビネット半体（２）（３）の下面に跨って、一点鎖線で示すように、下蓋体（３１）が設けられているが、この下蓋体（３１）を開いてバッテリ（図示せず）が収納できる。更に、第２キャビネット半体（３）上には、撮影の開始や終了を指示するレリーズ釦（１７）が設けられている。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】キャビネットを前方から見た斜視図である。
【図２】同上の後方から見た斜視図である。
【図３】キャビネットの正面図である。
【図４】キャビネットの内部構成を示す平面図である。
【図５】メカニズムデッキの斜視図である。
【図６】シャーシの正面図である。
【符号の説明】
（１）    キャビネット
（４）    第１回路基板
（５）    鏡筒
（８）    メカニズムデッキ
（４１）    第１集積回路
（６０）    ディスク
【図１】
0003574027.tif 000002
【図２】
0003574027.tif 000003
【図３】
0003574027.tif 000004
【図４】
0003574027.tif 000005
【図５】
0003574027.tif 000006
【図６】
0003574027.tif 000007